(57)【特許請求の範囲】
【請求項１】
網戸枠の上下の横枠に沿ってスプリングを巻取用の駆動源とするネットを開閉自在とし、該ネットの開閉操作用の可動框の上下の摺動部材を網戸枠の上下の横枠にガイドさせながら上記ネットを開閉するようにした巻取式網戸において、
上記可動框における上部の摺動部材が、框材の上端に嵌着する本体と、該本体の上部に取り付けられて上記網戸枠における上部の横枠のガイドレール上を摺動する摺動部とを備え、上記本体に摺動部を着脱自在に取り付けて、摺動部の取り外し状態において框材を本体と共に網戸枠から取り外し可能にした、
ことを特徴とする巻取式網戸。
【請求項２】
摺動部材における摺動部を本体に対して可動框の移動方向に向く係合溝と係合突条により挿脱自在に係合させ、上記本体と摺動部とを下方から螺挿するねじによって固定した、
ことを特徴とする請求項１に記載の巻取式網戸。
【請求項３】
巻取式網戸を左右両開きとし、可動框の上下端にスプリングをネットの巻取用の駆動源とする巻取軸の上下端を保持させ、上記ネットの基端をそれぞれ網戸枠の左右の縦枠に取り付けた、
ことを特徴とする請求項１または２に記載の巻取式網戸。
【請求項４】
上部の横枠の中央部におけるガイドレールを切除してその切除部分に可動框のストッパを着脱自在に取り付け、上記ガイドレールの切除部分を通して摺動部材の摺動部を上部の横枠に挿脱自在とした、
ことを特徴とする請求項３に記載の巻取式網戸。
【発明の詳細な説明】
【０００１】
【発明の属する技術分野】
本発明は、網戸枠の上下の横枠に沿ってスプリングを巻取用の駆動源とするネットを開閉自在とし、該ネットの開閉操作用の可動框の上下の摺動部材を網戸枠の上下の横枠にガイドさせながら上記ネットを開閉するようにした巻取式網戸に関するものである。
【０００２】
【従来の技術】
概して、網戸枠の上下の横枠に沿ってスプリングを巻取用の駆動源とするネットを開閉自在とし、該ネットの開閉操作用の可動框の上下の摺動部材を網戸枠の上下の横枠にガイドさせながら上記ネットを開閉するようにした巻取式網戸においては、可動框の上部に転輪などの摺動部を備えた摺動部材を取り付け、該摺動部材の摺動部が上記網戸枠の上部の横枠におけるガイドレール上を摺動あるいは転動することにより、可動框の開閉操作によってネットを開閉できるように構成している。
【０００３】
ところが、一般に、上記摺動部は可動框の上部の摺動部材に一体的に備え付けられるもので、網戸枠の組立に際し、網戸枠における上部の横枠の端部から、上記摺動部材の摺動部をそれがガイドレール上を摺動するべく挿入し、それにより可動框を上下の横枠にガイドさせるようにしているため、一度網戸枠内に組み付けてしまうと、メンテナンス等のために網戸枠から可動框のみを取り外すことは極めて難しく、結局網戸全体を分解しなくては可動框を取り外すことができず、結果的にメンテナンス作業が面倒になってしまうという問題点が指摘されている。
【０００４】
【発明が解決しようとする課題】
如上に鑑みて、本発明の技術的課題は、開閉操作用の可動框の框材を容易に網戸枠から取り外し可能とすることにより、当該巻取式網戸のメンテナンス作業をより容易に行うことができるようにすることにある。
【０００５】
【課題を解決するための手段】
上記課題を解決するための本発明は、網戸枠の上下の横枠に沿ってスプリングを巻取用の駆動源とするネットを開閉自在とし、該ネットの開閉操作用の可動框の上下の摺動部材を網戸枠の上下の横枠にガイドさせながら上記ネットを開閉するようにした巻取式網戸において、上記可動框における上部の摺動部材が、框材の上端に嵌着する本体と、該本体の上部に取り付けられて上記網戸枠における上部の横枠のガイドレール上を摺動する摺動部とを備え、上記本体に摺動部を着脱自在に取り付けて、摺動部の取り外し状態において框材を本体と共に網戸枠から取り外し可能にしたことを特徴とするものである。
【０００６】
上記巻取式網戸のより具体的な構成においては、摺動部材における摺動部を本体に対して可動框の移動方向に向く係合溝と係合突条により挿脱自在に係合させ、上記本体と摺動部とを下方から螺挿するねじによって固定される。さらに、上記巻取式網戸を左右両開きとし、可動框の上下端にスプリングをネットの巻取用の駆動源とする巻取軸の上下端を保持させ、上記ネットの基端をそれぞれ網戸枠の左右の縦枠に取り付けた構成とすることができ、また、上部の横枠の中央部におけるガイドレールを切除してその切除部分に可動框のストッパを着脱自在に取り付け、上記ガイドレールの切除部分を通して摺動部材の摺動部を上部の横枠に挿脱自在とすることができる。
【０００７】
上記巻取式網戸は、上記可動框の上部に取り付けた摺動部材の本体に摺動部を着脱自在に取り付けているので、該摺動部を取り外した状態において、可動框の枠材を上記本体と共に網戸枠から容易に取り外すことができ、延いては破損したネットの交換、可動框の修理等の巻取式網戸のメンテナンス作業を容易に行うことができる。
【０００８】
【発明の実施の形態】
以下、本発明の実施の形態を図面に基づいて詳細に説明するに、図１乃至図３は、本発明の巻取式網戸の一実施例を示しており、図中、２は略矩形状をなす網戸枠、４Ａ，４Ｂは該網戸枠２内に左右両開き式に開閉自在に取り付けられた防虫網からなるネット、６Ａ，６Ｂはそれぞれネット４Ａ，４Ｂの端部に取り付けられた開閉操作用の可動框である。
なお、上記左右のネット４Ａ，４Ｂに関連する構造は実質的に同一であるから、以下の説明においては、特に必要がなければネット４Ａに関する構造についてのみ説明し、ネット４Ｂについての説明は補助符号を読み替えるものとして、それらの説明を省略する。
【０００９】
上記ネット４Ａ，４Ｂは、図１及び図２に示すように、それらの一端をそれぞれ上記網戸枠２における左右の縦枠８，１０に取り付るとともに、他端をスプリング１６を巻取用の駆動源とする巻取軸１８Ａ，１８Ｂに固定しており、それらの巻取軸１８Ａ，１８Ｂを、それぞれ可動框６Ａ，６Ｂの框材２２Ａ，２２Ｂ内に回転自在に収容することにより、上記ネット４Ａ，４Ｂを繰り出し及び巻き取り可能に配設している。
【００１０】
上記網戸枠２は、図１及び図２からわかるように、左右の縦枠８，１０及び上下の横枠１２，１４により略矩形状に形成したもので、建物開口部にネジ止めあるいは接着テープ等の適宜手段により固定し得るようになっている。
【００１１】
上記可動框６Ａにおける框材２２Ａは、合成樹脂製又はアルミニウム等の金属製で一部に開口を有する筒状をなし、上記網戸枠２における上下の横枠１２，１４に沿って移動自在の上下の摺動部材２４Ａ，２６Ａを該框材２２Ａの上下端に連結し、該框材２２Ａ内において上記ネット４Ａを巻き付けた巻取軸１８Ａの上下端を上下の摺動部材２４Ａ，２６Ａに回転自在に保持させ、框材２２Ａの上記開口からネット４Ａを導出している。
上記摺動部材２４Ａ，２６Ａは、網戸枠２における上下の横枠１２，１４を摺動して上記可動框６Ａによるネット４Ａの開閉操作を円滑に行うことができるようにするためのもので、さらに具体的には、上記可動框６Ａにおける框材２２Ａの上部に連結した摺動部材２４Ａは、上記框材２２Ａの上端に嵌着する本体３２ａに、上記網戸枠２における上部の横枠１２のガイドレール１２ａ上を転動する一対の転輪３４ａを備えた摺動部３６ａを着脱自在に取り付けることにより構成されており、この摺動部材２４Ａの本体３２ａと摺動部３６ａとは、図４及び図５に明瞭に示すように、該摺動部３６ａを本体３２ａに対して可動框６Ａの移動方向に向くＴ形係合溝３８ａと係合突条４０ａにより挿脱自在に係合させ、上記本体３２ａと摺動部３６ａとを本体３２ａの凸部３２ｂの下方から螺挿するねじ４２ａによって固定している。従って、上記ねじ４２ａの螺脱により、図４に鎖線で示すように摺動部３６ａをガイドレール１２ａ上において本体３２ａから分離することができる。そして、上記摺動部材２４Ａにおける本体３２ａから摺動部３６ａを取り外した状態において、後述するように、上記框材２２Ａを本体３２ａと共に網戸枠２から取り外すことができるようにしている。
一方、上記框材２２Ａの下端に取り付けた摺動部材２６Ａは、上記下部の横枠１４の長手方向両側に立設したガイド壁１４ａにガイドさせるべく、上記框材２２Ａの下端に嵌着している。
【００１２】
上記網戸枠２における上部の横枠１２の中央には、それぞれの可動框６Ａ，６Ｂの移動範囲を上記横枠１２の中央部を若干越えた位置まで許容する左右に可動のストッパ３０を設けている。
さらに具体的には、上記ストッパ３０は、図１及び図６に明確に示すように、可動框６Ａ（６Ｂ）の上部の摺動部材２４Ａ（２４Ｂ）が摺動する横枠１２の中央部におけるガイドレール１２ａを切除して、その切除部分に当該ストッパ３０を着脱自在に取り付けている。このようなストッパ３０を設け、該ストッパ３０を上部の横枠１２から取り外した状態において、ガイドレール１２ａの切除部分を通して上記上部の摺動部材２４Ａの摺動部３６ａを上部の横枠１２から挿脱可能にしておくと、該摺動部３６ａの交換、修理なども容易となる。
そして、そのストッパ３０におけるストッパ本体３０ａの両側面には、上記ネット４Ａの開閉方向に沿う長穴３０ｂを穿設し、該長穴３０ｂに上記可動框６Ａ（６Ｂ）の上部の摺動部材２４Ａ（２４Ｂ）の転輪３４ａが当接する可動部材（ピン）３０ｃを該長穴３０ｂに沿って移動自在に遊嵌することにより、該ストッパ３０が形成されている。さらに、上記ストッパ本体３０ａは、上記横枠１２の中央に付設された際に、可動框６Ａ（６Ｂ）の上部の摺動部材２４Ａ（２４Ｂ）が摺動するガイドレールの一部としても機能するように、断面形状が網戸枠２の上部の横枠１２におけるガイドレール部とほぼ同形状に形成されている。
上記可動部材３０ｃを遊動自在としたストッパ３０は、左右のネットの過度の引出しを抑制すると同時に、余裕をもって完全な張設状態までの引出しを可能にするものである。
なお、図１及び図２における符号２８は、可動框６Ａ，６Ｂの衝突の勢いを緩和するための弾性緩衝材、図２中の符号５０は引き戸（障子），５０Ａ，５０Ｂは巻取式網戸の可動框６Ａ，６Ｂに対して係脱自在の上記引き戸５０における縦枠を示している。
【００１３】
上記構成を有する巻取式網戸は、上記可動框６Ａの上部に取り付けた摺動部材２４Ａの本体３２ａにガイドレール１２ａ上を移動する摺動部３６ａを着脱自在に取り付けているので、該摺動部３６ａを取り外した状態において、可動框６Ａをその移動面内で傾けることにより、その框材２２Ａを上記本体３２ａと共に網戸枠２から容易に取り外すことができ、延いては破損したネット４の交換、可動框６Ａの修理等の巻取式網戸のメンテナンス作業を容易に行うことができる。
【００１４】
なお、上述した実施例においては、本発明を、左右両開き式に開閉する巻取式網戸に適用した場合について記載したが、それに限定されず、片開き式の巻取式網戸にも適用することができるものである。
また、上記実施例においては、巻取軸１８Ａ，１８Ｂをそれぞれ可動框６Ａ，６Ｂの框材２２Ａ，２２Ｂ内に回転自在に保持した巻取式網戸に適用した場合について記載したが、それに限定されず、網戸枠における左右の縦枠にそれぞれ巻取軸を回転自在に保持させた巻取式網戸に適用することもできる。
【００１５】
【発明の効果】
以上に詳述した如く、本発明の巻取式網戸によれば、可動框の上部に取り付けた摺動部材の本体に摺動部を着脱自在に取り付けているので、該摺動部を取り外した状態において、可動框の枠材を上記本体と共に網戸枠から容易に取り外すことができ、延いては破損したネットの交換、可動框の修理等の巻取式網戸のメンテナンス作業を容易に行うことができる。
【図面の簡単な説明】
【図１】本発明に係る巻取式網戸の部分破断正面図である。
【図２】同平断面図である。
【図３】同側断面図である。
【図４】上記実施例における上部の摺動部材の取付状態を説明するための部分破断拡大斜視図である。
【図５】上記実施例における上部の摺動部材の断面図である。
【図６】上記実施例におけるストッパの取付状態を示す部分破断拡大斜視図である。
【符号の説明】
２    網戸枠
４Ａ，４Ｂ  ネット
６Ａ，６Ｂ  可動框
８，１０    縦枠
１２，１４    横枠
１２ａ  ガイドレール
１８Ａ，１８Ｂ  巻取軸
２２Ａ，２２Ｂ  框材
２４Ａ，２４Ｂ，２６Ａ，２６Ｂ  摺動部材
３０    ストッパ
３２ａ  本体
３６ａ  摺動部
３８ａ  係合溝
４０ａ  係合突条
４２ａ  ねじ
【図１】
0003561232.tif 000002
【図２】
0003561232.tif 000003
【図３】
0003561232.tif 000004
【図４】
0003561232.tif 000005
【図５】
0003561232.tif 000006
【図６】
0003561232.tif 000007